(57)【特許請求の範囲】
【請求項１】
安定化二酸化塩素溶液を含浸させた木材を密閉空間に保持し、この密閉空間に酸性ガスを供給することにより二酸化塩素ガスを発生させることを特徴とする、木材の燻蒸方法。
【請求項２】
酸性ガスが炭酸ガスである請求項１に記載の燻蒸方法。
【請求項３】
安定化二酸化塩素溶液を含浸させた木材を炭酸ガス雰囲気の密閉空間に１〜１０日間保持する請求項２に記載の燻蒸方法。
【請求項４】
安定化二酸化塩素溶液のｐＨが７．０〜９．５の範囲にあることを特徴とする請求項１〜３のいずれか１項に記載の燻蒸方法。
【請求項５】
安定化二酸化塩素溶液のｐＨが８．５〜９．５の範囲にある請求項４に記載の燻蒸方法。
【請求項６】
安定化二酸化塩素溶液の濃度が、二酸化塩素として５００〜５００００ｐｐｍの範囲にあることを特徴とする請求項１〜５のいずれか１項に記載の燻蒸方法。
【請求項７】
安定化二酸化塩素溶液の濃度が、二酸化塩素として１０００〜１００００ｐｐｍの範囲にある請求項６に記載の燻蒸方法。
【発明の詳細な説明】
【０００１】
【発明の属する技術分野】
本発明は木材の燻蒸方法に関する。
【０００２】
【従来の技術】
輸入木材などに寄生する害虫を駆除する方法として臭化メチルを用いた燻蒸が行われている。しかし、臭化メチルはオゾンホールの原因物質として、国際条約により２０１０年にはその使用が禁止されることになった。
これまで臭化メチルの代替品が多数提案されているが、蒸気圧が低く冬季の低温条件下では使用できないとか、価格、薬効等の面でいずれも不満足なものであった。
二酸化塩素は、融点−５９℃、沸点１１℃の、常温ではガス状の物質で、強い酸化力を有し、パルプの漂白剤や飲料水の殺菌剤等に用いられている。
二酸化塩素を木材の燻蒸剤として使用する場合幾つかの欠点がある。その第１は、木材中の幼虫や卵を完全に死滅させるには、数百ｐｐｍ以上の濃度を数時間維持する必要があるが、二酸化塩素が木材（あるいはその成分）自身と反応して消費されるので、そのような条件を満たすには大がかりな装置が必要となる。また、二酸化塩素は有毒であり、腐食性であり、空気中で１０％以上の濃度では爆発性もある等、ハンドリング上の問題もある。
亜塩素酸塩水溶液に緩衝剤を添加した安定化二酸化塩素水溶液と称する製品は、二酸化塩素を含有する水溶液であり、殺菌剤や消臭剤として簡便に使用できるが、木材燻蒸に有効な濃度の二酸化塩素ガスを発生することはない。
【０００３】
【発明が解決しようとする課題】
本発明は、臭化メチル燻蒸に代わる簡易でかつ効果的な木材の燻蒸方法を提供することを目的とする。
【０００４】
【課題を解決するための手段】
発明者は上記の課題を解決すべく鋭意研究の結果、安定化二酸化塩素溶液を含浸させた木材を密閉空間に保持し、この密閉空間に酸性ガスを供給することにより所期の目的だ達せられることを知り、本発明を完成するに至った。即ち本発明は以下の構成を有する。
（１）  安定化二酸化塩素溶液を含浸させた木材を密閉空間に保持し、この密閉空間に酸性ガスを供給することにより二酸化塩素ガスを発生させることを特徴とする、木材の燻蒸方法。
（２）酸性ガスが炭酸ガスである（１）項に記載の燻蒸方法。
（３）安定化二酸化塩素溶液を含浸させた木材を炭酸ガス雰囲気の密閉空間に１〜１０日間保持する（２）項に記載の燻蒸方法。
（４）安定化二酸化塩素溶液のｐＨが７．０〜９．５の範囲にあることを特徴とする（１）〜（３）項のいずれか１項に記載の燻蒸方法。
（５）安定化二酸化塩素溶液のｐＨが８．５〜９．５の範囲にある（４）項に記載の燻蒸方法。
（６）安定化二酸化塩素溶液の濃度が、二酸化塩素として５０〜５００００ｐｐｍの範囲にあることを特徴とする（１）〜（５）項のいずれか１項に記載の燻蒸方法。
（７）安定化二酸化塩素溶液の濃度が、二酸化塩素として１０００〜１００００ｐｐｍの範囲にある（６）項に記載の燻蒸方法。
【０００５】
【発明の実施の形態】
本発明で用いる安定化二酸化塩素溶液とは、３〜１５重量％の亜塩素酸塩を含有する水溶液に緩衝剤を添加してｐＨを７．０〜９．５に調整したものである。この溶液に酸性ガスを吸収させることによりｐＨを徐々に低下させ、それと共に二酸化塩素ガスを徐々に発生させることができる。
亜塩素酸塩としては亜塩素酸ナトリウム、亜塩素酸カリウムがいずれも用いられる。亜塩素酸塩の濃度が３％未満では、発生する二酸化塩素ガスの濃度および量が不十分となる。又亜塩素酸塩の濃度が１５％を超すと、高濃度の二酸化塩素ガスが発生する危険性があり好ましくない。
この溶液のｐＨが９．５を超すと二酸化塩素ガスの発生速度が遅く、効果的な燻蒸ができない。また、この溶液のｐＨが７．０未満であると、炭酸ガスを吸収させなくても二酸化塩素ガスの発散が起こり、経時的に力価が低下したり、作業雰囲気を悪化させるので好ましくない。
緩衝剤としては、リン酸二水素カリウム−リン酸二水素ナトリウム、リン酸二水素カリウム−四ホウ酸ナトリウム、リン酸二水素ナトリウム−炭酸水素ナトリウム等の無機系の緩衝剤を目的とするｐＨに応じて適宜選択する。
上述のように、木材中の幼虫や卵を完全に死滅させるには、数百ｐｐｍ以上の濃度を数時間維持する必要があるので、亜塩素酸塩の濃度及びｐＨの値を燻蒸の対象物に応じて選択する必要があるが、二酸化塩素換算で１〜１０ｇ／リットルおよびｐＨが８．５〜９．０の範囲にあるものが、十分な殺虫効果があり且つ取り扱いが容易なので好ましい。
燻蒸作業時に安定化二酸化塩素溶液に吸収させる酸性ガスとしては、炭酸ガス、塩化水素ガス、亜硫酸ガス、硫化水素ガス等が用いられるが、作業の安全性、取り扱いの容易さなどの観点から、炭酸ガスがもっとも好ましい。炭酸ガス源としては、ボンベ充填された液化炭酸ガス、ドライアイスなどが利用できる。
【０００６】
木材に安定化二酸化塩素溶液を含浸させる方法としては、噴霧あるいは浸漬などの方法が使用できる。
安定化二酸化塩素溶液を含浸させた木材を保持する密閉空間としては、気密倉庫、天幕、密閉容器等、通常の燻蒸作業で使用されるものが利用できるが、二酸化塩素ガスには腐食性があるので、材質としてはチタン、高珪素鉄、セラミック、ポリ塩化ビニル、ポリエステルなどが適当である。
【０００７】
【実施例】
以下実施例により本発明を説明する。
直径約１２ｃｍ、長さ約９５ｃｍの皮付き赤松材にマツノマダラカミキリの卵を１本あたり６０〜８０個産卵させ、幼虫を孵化させたもの（孵化試料）を５本用意した。同様産卵させ、幼虫の孵化していないもの（産卵試料）を２本用意した。
二酸化塩素換算で１０重量％の亜塩素酸ナトリウム含有し、リン酸二水素ナトリウム−炭酸水素ナトリウム系の緩衝剤でｐＨを９．０の調整した安定化二酸化塩素原液を水道水で３０倍に希釈し、二酸化塩素換算濃度３．３ｇ／リットル、ｐＨ８．３５の安定化二酸化塩素溶液を調製した。
孵化試料３本と産卵試料松材１本を安定化二酸化塩素溶液６０リットル中に１５分間環浸漬した後、取り出して風乾した（以下これらを処理品ということがある）。
【０００８】
これら全ての試料（合計７本）を、別途用意した直径７〜１８ｃｍ、長さ約９５ｃｍの松材１０２本の中にに混ぜ、横各１ｍ、高さ１．５ｍのポリ塩化ビニル製の密封チャンバーに充填した。チャンバー内の松材の容積率は６２％であった。
チャンバー内の松材の上にドライアイス１ｋｇを載せた後、チャンバーを密封し、チャンバー内のガス濃度を均一化するために内装の換気扇を稼働させた。チャンバーの空隙率とドライアイスの量から計算した炭酸ガス濃度は３４％である。
この燻蒸状態を７２時間保持した。
燻蒸後取り出した試料をそれぞれ個別に防虫ネットで包装した。孵化試料５本は、室温で２０日放置し、次いで３０℃の定温槽に１０日間養生して、幼虫の成育を図った。産卵試料２本は、３０℃の定温槽に１０日間養生して、幼虫への孵化と生育を図った。養生期間終了後試料の皮を剥いで、丹念に幼虫を探し、生体数と死体数を記録した。
その結果、孵化試料（処理品）３本からは生存幼虫はいずれも発見されず、３０頭、２５頭、２０頭の幼虫の死骸が発見された。一方、孵化試料（未処理品）２本からは合計５２頭の生きた幼虫が発見されたが、死骸は発見されなかった。
また、産卵試料（処理品）１本からは幼虫は発見されず、産卵試料（未処理品）からは生存幼虫４７頭が発見された。
【０００９】
【発明の効果】
実施例の結果からも明らかなように、本発明の燻蒸方法は臭化メチル燻蒸に代わり得る殺虫効果を有し、かつ、安全で簡便な方法である。